(57)【要約】【課題】内部液のｐＨの変化を抑制し、試料溶液中の溶存酸素濃度を高い精度で測定することができる溶存酸素センサを提供する。【解決手段】酸素透過膜と、前記酸素透過膜によって外部と隔てられた室内に、Ｃｌ−を含有する内部液と、前記内部液に浸漬した作用極及び対極と、を備え、前記対極は、銀を含有しており、前記内部液は、２５℃におけるｐＫａが４．５≦ｐＫａ≦９．５である緩衝剤を添加してなるようにした。【選択図】図３
2010060391.tif 000002
【特許請求の範囲】
【請求項１】
酸素透過膜と、前記酸素透過膜によって外部と隔てられた室内に、Ｃｌ−を含有する内部液と、前記内部液に浸漬した作用極及び対極と、を備え、
前記対極は、銀を含有しており、
前記内部液は、２５℃におけるｐＫａが４．５≦ｐＫａ≦９．５である緩衝剤を添加してなることを特徴とする溶存酸素センサ。
【請求項２】
前記内部液は、ＭＨ２ＰＯ４とＭ２ＨＰＯ４（Ｍは１族の元素を表す。それぞれのＭは同一であってもよく、また異なっていてもよい。）を添加してなる請求項１記載の溶存酸素センサ。
【請求項３】
前記内部液に浸漬した参照極を備えている請求項１又は２記載の溶存酸素センサ。
【請求項４】
請求項１、２又は３記載の溶存酸素センサと、少なくとも１種の他のセンサと、を備えた水質分析装置。
【発明の詳細な説明】
【技術分野】
【０００１】
この発明は、内部液のｐＨ変化を抑制し、試料溶液中の溶存酸素濃度を高い精度で測定することができる溶存酸素センサに関するものである。
【背景技術】
【０００２】
一般に清浄な河川の溶存酸素濃度は、ほぼ飽和値に達しているが、水中に過剰な有機物が排出されると、好気性微生物が有機物を酸化分解するのに伴い、水中の酸素が多量に消費され、溶存酸素濃度が低下する。そして、溶存酸素濃度が低下すると、好気性微生物による有機物の酸化分解が抑制されて水域の浄化作用が低下して水質汚濁が引き起こる。このため、一般的に水質の悪化した湖沼・河川等の溶存酸素濃度は低い。したがって、溶存酸素濃度は水質を評価する重要な指標とされている。このような溶存酸素濃度を測定するためには、ポーラログラフ方式の溶存酸素センサが、広く使用されている。
【０００３】
ポーラログラフ方式の溶存酸素センサは、一般的に、酸素透過膜によって外部と隔てられた室内に充填された内部液と、当該内部液に浸漬した作用極及び対極等とから構成されるが、内部液としてＫＣｌ溶液を使用し、対極として銀又は銀／塩化銀からなるものを使用し、作用極−対極間に電圧を印加すると、それぞれの電極では以下のような反応が起こる。
【０００４】
作用極（カソード）：Ｏ２＋２Ｈ２Ｏ＋４ｅ−→４ＯＨ−
対極（アノード）：４Ａｇ+４Ｃｌ−→４ＡｇＣｌ＋４ｅ−
【０００５】
そして、溶存酸素濃度に比例したポーラログラフ的限界電流が外部回路に流れ、この電流値から溶存酸素濃度を測定することができる。当該電流値Ｉｌｉｍは下記式で表される。
Ｉｌｉｍ＝−ｎ×Ｆ×Ａ×Ｄｏ×Ｃｏ×（１／√πＤｏｔ＋１／ｒ）
ここで、式中の各項は以下のとおりである。
ｎ：電極反応の電子数
Ｆ：ファラデー定数
Ａ：電極面積
Ｄｏ：拡散係数
Ｃｏ：バルクでの酸化体濃度
πＤｏｔ：拡散層の厚さ
ｒ：電極半径
【０００６】
このように、電流値は拡散層の厚さに依存して変化するので、拡散層の厚さや電極面積を一定に保つことは精度の高い測定を行うために重要である。なお、当該拡散層は、一般的に、酸素透過膜と作用極との間隙と、酸素透過膜と、から構成される。
【０００７】
ポーラログラフ方式の溶存酸素センサを用いた測定では、基準電極の電位に対する印加電圧が多少変動しても試料溶液の溶存酸素濃度に依存した電流値が得られる所謂プラトー領域が存在し、このプラトー領域内において溶存酸素濃度の測定が行われる。
【０００８】
しかし、対極での反応が進むと内部液のＣｌ−の濃度が低下して内部液の抵抗が上昇し、これに伴い基準電極の電位が変化しプラトー領域も変動して、プラトー領域内において溶存酸素濃度を測定することができなくなるので、プラトー領域の変動を抑制するために、内部液の抵抗を下げる目的で、内部液にはＫＣｌが添加されている。
【０００９】
しかし、内部液として高濃度のＫＣｌ溶液を使用し、対極として銀又は銀／塩化銀からなるものを使用したポーラログラフ方式の溶存酸素センサでは、ＫＣｌが電離して生じたＣｌ−が対極で生じたＡｇＣｌと反応し、ＡｇＣｌ２−等の錯体を形成して対極から溶出し、内部液中に溶解し、作用極に銀が付着するという問題があり、そして、作用極に銀が付着すると、酸素透過膜と作用極の間の距離が変動し、この結果、拡散層の厚さが変化して、測定精度が低下するという問題がある。また、銀の付着により作用極の表面積が変動することによっても、測定誤差が生じる。このため、内部液のＫＣｌ濃度を高くすることはできない。
【００１０】
これに対して、特許文献１には、その水溶液が優れたイオン導電体である硫酸塩をＣｌ−濃度が低い内部液に添加して、Ｃｌ−濃度が高い内部液と同等なイオン導電性を有する電解液を調製することにより、作用極と対極との反応に必要な電流を維持し、かつ、対極での酸化反応には充分なＣｌ−濃度を保ちつつも、内部液のＣｌ−濃度を下げて対極からの塩化銀の溶出を抑制する方法が開示されている。
【００１１】
しかしながら、内部液に硫酸ナトリウム等の硫酸塩を添加したとしても、作用極で発生するＯＨ−によって内部液がアルカリ性になり、水酸化銀（酸化銀）が発生すると酸素透過膜と作用極との間に入り込み、拡散層の厚さが変化するという問題が生じる。
【００１２】
また、内部液がアルカリ性になると、内部液交換時の安全性が確保できず、交換した廃棄内部液を中和処理する必要も生じるという問題も生じる。
【００１３】
更に、上記のとおり、ポーラログラフ方式の溶存酸素センサを用いた測定では、基準電極の電位に対する印加電圧が多少変動しても試料溶液の溶存酸素濃度に依存した電流値が得られる所謂プラトー領域が存在し、このプラトー領域内において溶存酸素濃度の測定が行われるが、この際、基準電極においては以下の反応が起こる。
ＡｇＣｌ＋ｅ−⇔Ａｇ＋Ｃｌ−
【００１４】
そして、基準電極の電位は下記のネルンストの式より求められる。
Ｅ＝Ｅ０＋（ＲＴ／Ｆ）（ｌｎａＣｌ−）
ここで式中の各項は以下のとおりである。
Ｅ：基準電極電位
Ｒ：気体定数
Ｔ：温度
ａ：活量
Ｆ：ファラデー定数
このように基準電極の電位はＣｌ−の濃度に依存する。
【００１５】
一方、作用極では上記のとおり、ＯＨ−が発生し、これに伴い内部液のＯＨ−の濃度が増加し、かつ、対極での反応に伴いＣｌ−の濃度が低下すると、対極では、以下に示すような競争反応が起こる。
４Ａｇ+４Ｃｌ−→４ＡｇＣｌ＋４ｅ−
４Ａｇ+４ＯＨ−→４ＡｇＯＨ＋４ｅ−
【００１６】
しかし、上記のような競争反応が起こるとニコルスキーの式から明らかになるように基準電極の電位が変化して、プラトー領域も変動するので、プラトー領域内での測定を行うことができなくなる。
【特許文献１】米国特許５６３２８８２号公報
【発明の開示】
【発明が解決しようとする課題】
【００１７】
そこで本発明は、内部液のｐＨ変化を抑制し、試料溶液中の溶存酸素濃度を高い精度で測定することができる溶存酸素センサを提供すべく図ったものである。
【課題を解決するための手段】
【００１８】
すなわち本発明に係る溶存酸素センサは、酸素透過膜と、前記酸素透過膜によって外部と隔てられた室内に、Ｃｌ−を含有する内部液と、前記内部液に浸漬した作用極及び対極と、を備え、前記対極は、銀を含有しており、前記内部液は、２５℃におけるｐＫａが４．５≦ｐＫａ≦９．５である緩衝剤を添加してなることを特徴とする。ここで、緩衝剤とは、所定のｐＨ領域を緩衝する試薬をいい、一般に制御可能なｐＨ領域は緩衝剤のｐＫａ±１程度の範囲となる。
【００１９】
このようなものであれば、２５℃におけるｐＫａが４．５≦ｐＫａ≦９．５である緩衝剤は、中性付近のｐＨ領域において緩衝作用を発現するので、内部液がアルカリ性になり水酸化銀が作用極に付着して拡散層の厚さが変化する事態が抑制され、拡散層の厚さが一定に保たれて精度の高い溶存酸素濃度の測定が可能となる。また、内部液を中性に保つことにより、対極における競争反応が抑制されるので、プラトー領域が一定に保たれ、プラトー領域内での測定を確保することができる。更に、前記緩衝剤は内部液中で電離してイオン導電体としても機能するので、対極からの銀の溶出を抑制するために内部液のＣｌ−濃度を下げても、内部液の抵抗を低く保つのに充分なイオン導電性を確保することができ、この点からも、プラトー領域が一定に保たれ、プラトー領域での測定を確保することができる。
【００２０】
また、本発明によれば、内部液が中性に保たれるので、内部液交換時の安全性が確保でき、また、交換した廃棄内部液を中和処理する必要も生じない。
【００２１】
更に、内部液のＣｌ−濃度を下げることにより、対極から銀が溶出して内部液中に溶解し、作用極に銀が付着することを防ぐことができるので、作用極の表面積及び拡散層の厚さを一定に保つことができ、この点からも、精度の高い溶存酸素濃度の測定が可能となる。
【００２２】
前記緩衝剤としては、例えば、ＭＨ２ＰＯ４とＭ２ＨＰＯ４（Ｍは１族の元素である。それぞれのＭは同一であってもよく、また異なっていてもよい。）が好適に用いられる。MＨ２ＰＯ４は水中で解離し下記式に示すような平衡状態をとる。
MＨ２ＰＯ４→Ｈ２ＰＯ４−＋M＋
Ｈ２ＰＯ４−⇔ＨＰＯ４２−＋Ｈ＋
ＨＰＯ４２−⇔ＰＯ４３−＋Ｈ＋
【００２３】
一方、M２ＨＰＯ４は水中では下記式に示すように完全に電離し平衡状態をとる。
M２ＨＰＯ４→ＨＰＯ４２−＋２Ｍ＋
ＨＰＯ４２−⇔ＰＯ４３−＋Ｈ＋
【００２４】
このため、内部液中にＨ２ＰＯ４−、ＨＰＯ４２−、ＰＯ４３−等のイオン種が発生し、内部液の抵抗が低く抑えられる。また、２価の陰イオンであるＨＰＯ４２−はイオン強度が高いので、優れた緩衝作用を発揮する。
【００２５】
なお、Ｍとしては１族の元素であれば特に限定されないが、例えば、NａやK等が挙げられる。また、ＭＨ２ＰＯ４とＭ２ＨＰＯ４のＭは、同一であってもよいが、異なっていてもよい。
【００２６】
本発明に係る溶存酸素センサは、より精度及び感度の高い測定を要求される場合は、参照極を備えていることが好ましい。対電極、作用極及び参照極の三電極を用いて測定を行うほうが、作用極と対極との間に印加する電圧の絶対値を制御することができるので、より精度及び感度の高い測定を行うことが可能である。
【００２７】
水質に関する様々な指標について多面的に測定する場合は、本発明に係る溶存酸素センサに加えて、他の種類のセンサも備わった複合タイプの水質分析装置を使用することが好ましい。このような水質分析装置もまた、本発明の１つである。
【発明の効果】
【００２８】
このように本発明によれば、拡散層の厚さを一定に保ち、作用極表面積の変動を防ぎ、かつ、プラトー領域内での測定を確保して、試料溶液中の溶存酸素濃度を高い精度で測定することができる。
【発明を実施するための最良の形態】
【００２９】
以下に、本発明の一実施形態について、図面を参照して説明する。
【００３０】
本実施形態に係る水質分析装置１は、ｐＨ、導電率（Conductivity）、溶存酸素（Dissolved Oxygen）濃度、濁度（Turbidity）及び水温等の測定項目を同時に連続測定するものであり、図１に示すように、水質測定用の複数の測定センサを備えた浸漬型のセンサ部２と、当該センサ部２に防水タイプの電気ケーブルＣＡを介して電気的に接続された計器本体３と、を備えている。そして、例えば海水の水質分析を行う場合には、電気ケーブルＣＡの部分を持ち、センサ部２を海水中に垂下し、海水中にセンサ部２を浸漬した状態で測定を行う。
【００３１】
センサ部２は、複数種類の測定センサ４を有する浸漬型のセンサ部本体２１と、当該センサ部本体２１に取り付けられて、測定センサ４を外部から保護するセンサ保護部２２と、を備えている。
【００３２】
センサ部本体２１は、図２に示すように、電源、メモリ機能部を有する演算部、演算された水質の測定データ等を時系列的に記録するデータロガーを内蔵する耐圧構造の水密ケース２１１と、その水密ケース２１１の下端部２１１Ａに取り付けられた、例えばｐＨ測定用のガラスｐＨ電極及び比較電極で構成されるｐＨセンサ、導電率センサ、濁度センサ、溶存酸素センサ（以下ＤＯセンサという。）４１、温度センサ等の複数試料の測定センサ４と、を備えているものである。なお、ガラスｐＨ電極、比較電極及びＤＯセンサ４１は、一般に使用に連れて劣化又は不測の破損を伴うことを考慮して、カートリッジ式になっており、交換が容易である。ＤＯセンサ４１については、追って詳述する。
【００３３】
センサ保護部２２は、センサ部本体２１に取り付けられて、外部の測定対象である液体（例えば、海水）等をセンサ部２内部に導きながらも、測定センサ４を外部から保護するものである。
【００３４】
計器本体３は、前記センサ部２からの測定データ等を表示する表示部、電源キー、機能キー、測定の開始・終了キー、校正キー、セレクトキー、アップダウンキー等を備えている。そして、前記電気ケーブルＣＡを操ってセンサ部２を水没させると、各測定センサ４からの出力に基づく測定データが前記メモリ機能部に記録され、且つ、その測定値が表示部に表示される。
【００３５】
ＤＯセンサ４１は、図３に示すように、中空の筐体４２と、筐体の上端開口部に設けられた酸素透過膜４３と、酸素透過膜４３によって筐体４２内に形成された室内に充填された内部液４４と、内部液４４に浸漬した作用極４５、対極４６及び参照極４７と、を備えているものであり、三電極方式により溶存酸素濃度を測定するものである。作用極４５、対極４６及び参照極４７にはそれぞれリード線Ｌが接続されており、これらリード線は電圧印加装置（直流電源）ＰＳ及び電流計ＡＭに接続されている。
【００３６】
筐体４２は、先端部開口に酸素透過膜４３を張り設けた円筒状をなす筐体本体４２１と、この筐体本体４２１の基端部開口に螺合して該開口を液密に閉塞するベース部材４２２とから構成してある。
【００３７】
ベース部材４２２は、ポリフェニレンサルファイド（ＰＰＳ）等の絶縁性に優れた樹脂からなるものであり、作用極４５、対極４６及び参照極４７と一体的に形成されている。
【００３８】
このベース部材４２２は、筐体本体４２１の内部に延びる円柱状部材４２２ａと、この円柱状部材４２２ａの基端部外周に設けた円柱状部材４２２ｂとからなり、円柱状部材４２２ｂの外周面に設けられたねじ溝が、筐体本体４２１の基端部開口に螺合し、シール部材Ｏを押圧するように構成してある。円柱状部材４２２ａの中央には、円柱状の作用極４５が中心軸線を合致させて貫通しており、またこの円柱状部材４２２ａの外側には、円筒状の対極４６が嵌め込んである。更に、円柱状部材４２２ｂの周縁部には、参照極４７が貫通している。
【００３９】
これら三電極４５、４６、４７のうち、作用極４５は、金、白金、銀等からなるものであり、酸素透過膜４３に対向して設けられている。対極４６は、銀、銀／塩化銀等からなるものであり、参照極４７は、銀／塩化銀からなるものである。これら三電極の組み合わせとしては、例えば、金からなる作用極４５と、銀からなる対極４６と、銀／塩化銀からなる参照極４７と、の組み合わせが挙げられる。
【００４０】
ところで、三電極４５、４６、４７は、シール部材や接着剤等を介在させることなく、ベース部材４２２に液密に貫通している。そのため、予め型枠に三電極４５、４６、４７を配置して、その隙間に樹脂を射出し、ベース部材４２２を形成するというインジェクション成形法によって、ベース部材４２２及び三電極４５、４６、４７が一体的に形成されている。
【００４１】
また、円柱状部材４２２ａ及び作用極４５の先端面４５１を部分球状に形成するとともに、筐体本体４２１をベース部材４２２に螺着したときに、酸素透過膜４３が先端面４５１に対してある程度のテンションで、張り付くように構成している。この構成によって、内部液４４が酸素透過膜４３と先端面４５１との間に毛細管現象等で浸入し、酸素透過膜４３の内面と先端面４５１との隙間が約１０μｍ又はそれ以下の一定値に保たれる作用が生じる。なお、先端面４５１の周縁部にはＲ加工を施してエッジが形成されないようにし、酸素透過膜４３との間で毛細管現象が円滑に起こるようにしている。
【００４２】
なお、酸素透過膜４３は、酸素を透過して液体を透過しない膜であって、例えば、ポリエチレン膜や、四フッ化エチレン−六フッ化プロピレン共重合体（ＦＥＰ）等のフッ素樹脂膜からなるものであり、膜厚は２５〜５０μm程度である。
【００４３】
内部液４４は、Ｃｌ−を含有し、かつ、２５℃におけるｐＫａが４．５≦ｐＫａ≦９．５である緩衝剤が添加されているものであり、酸素透過膜４３によって筐体４２内に形成された室内に充填されている。
【００４４】
前記Ｃｌ−としては、例えば、ＫＣｌやＮａＣｌ等の塩化物塩に由来するものが挙げられるが、このようなＣｌ−を含有する内部液としては、例えば、ＫＣｌ溶液が好適に用いられる。本実施形態においては、対極４６から塩化銀が溶出して作用極４５に銀が付着することを抑制するために内部液のＣｌ−濃度は低いことが好ましい。このため、内部液におけるＫＣｌ等の塩化物塩の濃度は、０．１〜１Ｍであることが好ましい。０．１Ｍ未満であると、内部液４４の抵抗を低く保つのに充分なイオン導電性を確保することが困難になる。一方、１Ｍを越えると、対極４６から塩化銀が溶出して作用極４５に銀が付着し、作用極４５の表面積が増加するとともに拡散層の厚さも変動し、精度の高い溶存酸素濃度の測定が困難になる。
【００４５】
前記２５℃におけるｐＫａが４．５≦ｐＫａ≦９．５である緩衝剤としては、例えば、クエン酸（ｐＫａ２＝４．７６、ｐＫａ３＝６．４０）、リン酸（ｐＫａ２＝７．２０）、トリス（ヒドロキシメチル）アミノメタン（トリス）（トリスの共役酸のｐＫａ＝８．０６）、ホウ酸（ｐＫａ＝９．２３）等が挙げられる。なお、これらの緩衝剤は複数種類のものが併用されてもよい。
【００４６】
これら各種緩衝剤のなかでも、ＭＨ２ＰＯ４とＭ２ＨＰＯ４（Ｍは１族の元素を表す。それぞれのＭは同一であってもよく、また異なっていてもよい。）が好適に用いられる。ＭＨ２ＰＯ４とＭ２ＨＰＯ４は、内部液中において、電離してイオン強度が高い２価の陰イオンであるＨＰＯ４２−を生じるので、優れた緩衝作用を示し、内部液のｐＨを安定的に中性付近に保つことができる。また、ＭＨ２ＰＯ４とＭ２ＨＰＯ４は、内部液中において電離してＨ２ＰＯ４−、ＨＰＯ４２−、ＰＯ４３−等のイオン種を生じイオン導電体としても機能するので、内部液中のＣｌ−濃度が低い場合であっても、内部液の抵抗を低く抑えて、プラトー領域を一定に保ち、プラトー領域での測定を確保することができる。
【００４７】
また、緩衝剤としてＭＨ２ＰＯ４とＭ２ＨＰＯ４とを使用することにより、温度変化に対するｐＨ変化を低く抑えることができ、かつ、ＭＨ２ＰＯ４とＭ２ＨＰＯ４とは溶解度が高いので、緩衝能を高くすることができる。
【００４８】
内部液４４における、ＭＨ２ＰＯ４とＭ２ＨＰＯ４の濃度（合計）は、０．１〜１Ｍ程度が好ましい。０．１Ｍ未満であると、緩衝作用が充分でなく、また、Ｃｌ−濃度が低い内部液４４の抵抗を低く保つのに充分なイオン導電性を付与することができない。一方、１Ｍを越えると、低温時に析出し、析出物により拡散層の厚さが変化することがある。
【００４９】
内部液４４がＫＣｌ溶液である場合、ＭＨ２ＰＯ４とＭ２ＨＰＯ４としては特に限定されないが、例えば、ＮａＨ２ＰＯ４及びＫＨ２ＰＯ４と、Ｎａ２ＨＰＯ４及びＫ２ＨＰＯ４とを、適宜組み合わせて用いることができる。
【００５０】
ＤＯセンサ４１を用いて試料溶液中の溶存酸素濃度を測定するには、まず、ＤＯセンサ４１が試料溶液に浸漬すると、試料溶液に溶存した酸素が酸素透過膜４３を透過して、作用極４５と酸素透過膜４３との間隙に存在する内部液４４中に溶解する。そして、作用極４５−対極４６間に電圧を印加すると、それぞれの電極で以下のような反応が起こる。
【００５１】
作用極４５（カソード）：Ｏ２＋２Ｈ２Ｏ＋４ｅ−→４ＯＨ−
対極４６（アノード）：４Ａｇ+４Ｃｌ−→４ＡｇＣｌ＋４ｅ−
【００５２】
そして、酸素が作用極４５の表面で還元されたときに流れた電流の電流値が、電流計ＡＭで測定され、当該電流値を示す出力信号を受信した演算部が所定の演算処理を行うことにより、試料溶液中の溶存酸素濃度が算出される。
【００５３】
したがって、このように構成した本実施形態に係る水質分析装置１によれば、ＤＯセンサ４１の内部液４４に添加されている、２５℃におけるｐＫａが４．５≦ｐＫａ≦９．５である緩衝剤は、中性付近のｐＨ領域において緩衝作用を発現するので、内部液４４がアルカリ性になり水酸化銀が作用極４５に付着して拡散層の厚さが変化する事態が抑制され、拡散層の厚さが一定に保たれて精度の高い溶存酸素濃度の測定が可能となる。また、内部液４４を中性に保つことにより、対極４６における競争反応が抑制されるので、プラトー領域が一定に保たれ、プラトー領域内での測定を確保することができる。更に、前記緩衝剤は内部液４４中で電離してイオン導電体としても機能するので、対極４６からの塩化銀の溶出を抑制するために内部液４４のＣｌ−濃度を下げても、内部液の抵抗を低く保つのに充分なイオン導電性を確保することができ、この点からも、プラトー領域が一定に保たれ、プラトー領域での測定を確保することができる。
【００５４】
また、本実施形態によれば、内部液４４が中性に保たれるので、内部液４４交換時の安全性が確保でき、また、交換した廃棄内部液４４を中和処理する必要も生じない。
【００５５】
更に、内部液４４のＣｌ−濃度を下げることにより、対極４６から塩化銀が溶出して内部液４４中に溶解し、作用極４５に銀が付着することを防ぐことができるので、作用極４５の表面積及び拡散層の厚さを一定に保つことができ、この点からも、精度の高い溶存酸素濃度の測定が可能となる。
【００５６】
なお、本発明は前記実施形態に限られるものではない。
【００５７】
例えば、前記実施形態おけるＤＯセンサ４１は、作用極４５、対極４６及び参照極４７が備わった三電極法による測定を行うものであるが、本発明に係るＤＯセンサは、作用極４５及び対電極のみを備えた二電極法によるものであってもよい。三電極法の方が、作用極４５と対極４６との間に印加する電圧の絶対値を制御することができるので、精度及び感度の高い測定を行うことが可能であるが、二電極法によれば、用いる電極が作用極４５及び対極４６の２電極ですむので、ＤＯセンサ４１の構造を単純化、小型化することができる。
【００５８】
その他、前述した実施形態や変形実施形態の一部又は全部を適宜組み合わせてもよく、その趣旨を逸脱しない範囲で種々の変形が可能であるのは言うまでもない。
【実施例】
【００５９】
以下に実施例を掲げて本発明を更に詳細に説明するが、本発明はこれら実施例に何ら限定されるものではない。
【００６０】
以下のような構成を有するＤＯセンサを複数体用いて、作用極−対極間に６５０ｍＶの電圧を印加して種々の試験を行った。
内部液（組成）：０．８Ｍ  ＫＣｌ、０．５Ｍ  リン酸緩衝液（ＫＨ２ＰＯ４，Ｎａ２ＨＰＯ４）（ｐＨ６．５）
酸素透過膜：ＦＥＰ膜（厚さ２５μｍ）
作用極：金
対極：銀
参照極：銀／塩化銀
ベース部材：ＰＰＳ
拡散層の厚さ：約１０μｍ
【００６１】
比較対象としては、従来のポーラログラフ式ＤＯセンサを使用した。
【００６２】
＜直線性＞
溶存酸素濃度の異なる複数の試料溶液（それぞれの溶存酸素濃度は０、２０、４０、６０、８０、１００％）を用いて、各ＤＯセンサを用いて溶存酸素濃度を測定し、測定値（表示部に表示された指示値）との相関性を評価した。結果を図４のグラフに示した。
【００６３】
図４のグラフより、それぞれのＤＯセンサに対し得られた測定結果について回帰分析を行うと、本発明品の決定係数Ｒ２は０．９９９２であり、測定精度が高いことが確認された。
【００６４】
＜再現性＞
各ＤＯセンサに対し、飽和溶存酸素水に浸漬してから、亜硫酸ソーダ水に浸漬することを繰り返して、溶存酸素濃度を測定し、結果のバラツキを評価した。結果を図５のグラフに示した。
【００６５】
図５のグラフより、測定を３回繰り返した結果、本発明品の変動係数ＣＶは１．２％であり、測定結果のバラツキが少なく測定精度が高いことが確認された。
【００６６】
＜応答性＞
各ＤＯセンサを、飽和溶存酸素水に浸漬してから、亜硫酸ソーダ水に浸漬し、応答速度を評価した。結果を図６のグラフに示した。
【００６７】
図６のグラフより、本発明品は、９０％応答時間が１５秒で、９５％応答時間が１８秒であるのに対して、従来品は、９０％応答時間が１６秒で、９５％応答時間が２０秒であり、本発明品のほうが応答速度が速いことが確認された。
【００６８】
＜内部液のｐＨ変化＞
各ＤＯセンサを用いて常時測定を３０日間続行し、その間の内部液のｐＨ変化を記録した。結果を図７のグラフに示した。
【００６９】
図７のグラフより、本発明品では、内部液のｐＨが僅かしか変化せず液性が中性に保たれたのに対して、従来品では、内部液のｐＨが大きく変化して液性がアルカリ性になった。
【図面の簡単な説明】
【００７０】
【図１】本発明の一実施形態に係る水質分析装置の斜視図。
【図２】同実施形態におけるセンサ部本体の断面図。
【図３】同実施形態におけるＤＯセンサの端面図。
【図４】本発明に係るＤＯセンサの測定値の直線性を調べた結果を示すグラフ。
【図５】本発明に係るＤＯセンサの再現性を調べた結果を示すグラフ。
【図６】本発明に係るＤＯセンサの応答速度を調べた結果を示すグラフ。
【図７】本発明に係るＤＯセンサの内部液のｐＨ変化を調べた結果を示すグラフ。
【符号の説明】
【００７１】
１・・・水質分析装置
２・・・センサ部
２１・・・センサ部本体
２２・・・センサ保護部
３・・・計器本体
４・・・測定センサ
４１・・・溶存酸素センサ
４３・・・酸素透過膜
４４・・・内部液
４５・・・作用極
４６・・・対極
【図１】
2010060391.tif 000003
【図２】
2010060391.tif 000004
【図３】
2010060391.tif 000005
【図４】
2010060391.tif 000006
【図５】
2010060391.tif 000007
【図６】
2010060391.tif 000008
【図７】
2010060391.tif 000009